(57)【要約】【課題】消費者が商品を購入前に当該商品の税に関する情報を容易に得ることができる計量ラベルプリンタを提供する。【解決手段】計量ラベルプリンタは、情報を入出力する入出力部と、商品の重さを計量する計量部と、記録媒体に画像形成するプリンタと、商品に固有に割り当てられる商品コードごとに単価、及び商品の分類を示す分類コードを格納する商品マスタと、分類コード及び商品コードごとに税の種別を示す税コードを格納する分類ファイルと、税コードごとに税に関する情報を格納する税テーブルと、入出力部から商品が選択入力された場合、当該商品の税に関する情報を入出力部に表示する制御部と、を備える。【選択図】図５
2015160365.tif 000002
【特許請求の範囲】
【請求項１】
情報を入出力する入出力部と、
商品の重さを計量する計量部と、
記録媒体に画像形成するプリンタと、
商品に固有に割り当てられる商品コードごとに単価、及び商品の分類を示す分類コードを格納する商品マスタと、
前記分類コード及び前記商品コードごとに税の種別を示す税コードを格納する分類ファイルと、
前記税コードごとに税に関する情報を格納する税テーブルと、
前記入出力部から商品が選択入力された場合、当該商品の税に関する情報を前記入出力部に表示する制御部と、
を備える計量ラベルプリンタ。
【請求項２】
前記税テーブルは、
前記税コードごとにポップアップ表示の要否をさらに格納し、
前記制御部は、
前記入出力部から選択入力された商品に基づいて読み出した前記ポップアップ表示の要否が「要」の場合、前記入出力部に前記税に関する情報をポップアップ表示させる請求項１記載の計量ラベルプリンタ。
【請求項３】
前記制御部は、
入出力部に前記税に関する情報を前記入出力部にポップアップ表示させる税情報読み出しボタンを表示させ、
前記税情報読み出しボタンが押下されたと判定した場合、前記入出力部に前記税に関する情報をポップアップ表示させる請求項１記載の計量ラベルプリンタ。
【請求項４】
外部機器と通信を行う通信部をさらに備え、
前記制御部は、
前記外部機器から受信した更新指示に従って、分類コード単位によって税に関する情報を更新する請求項１記載の計量ラベルプリンタ。
【請求項５】
顧客に対して情報を提示する客面ディスプレイをさらに備え、
前記制御部は、
前記入出力部から商品が選択入力された場合、当該商品の税に関する情報を前記客面ディスプレイに表示する請求項１記載の計量ラベルプリンタ。
【請求項６】
前記制御部は、
前記入出力部に前記税に関する情報をポップアップ表示する場合、前記客面ディスプレイにも前記税に関する情報をポップアップ表示する請求項５記載の計量ラベルプリンタ。
【発明の詳細な説明】
【技術分野】
【０００１】
本発明の実施形態は、計量ラベルプリンタに関する。
【背景技術】
【０００２】
計量ラベルプリンタは、商品を選択入力する入出力部と、商品の重さを計量する計量部と、記録媒体に画像形成するラベルプリンタと、を備える。
【０００３】
計量ラベルプリンタは量り売りの消費を販売する際に用いられる。計量ラベルプリンタは、商品が選択入力された後、計量部に載せられた商品の重さを計量し、販売価格を計算してラベルプリンタによってラベルに販売価格及び税情報を印字する。
【０００４】
ここで、消費税の表示は内税方式と外税方式とがある。また、消費税は商品によって税率が異なるような税体系の導入が検討されている。
【０００５】
このような税体系が導入されると、消費者は購入前に当該商品の消費税に関する情報を得ることを希望すると予想される。
【０００６】
しかし、従来の計量ラベルプリンタはラベルに税情報が印字されないと消費税の表示方法と税率が確認できなかった。
【先行技術文献】
【特許文献】
【０００７】
【特許文献１】特開２０１０−１９１９０４号公報
【発明の概要】
【発明が解決しようとする課題】
【０００８】
従って、消費者が商品を購入前に当該商品の税に関する情報を容易に得ることができる計量ラベルプリンタが求められている。
【課題を解決するための手段】
【０００９】
上記の課題を解決するために、本発明の一実施形態は、情報を入出力する入出力部と、商品の重さを計量する計量部と、記録媒体に画像形成するプリンタと、商品に固有に割り当てられる商品コードごとに単価、及び商品の分類を示す分類コードを格納する商品マスタと、分類コード及び商品コードごとに税の種別を示す税コードを格納する分類ファイルと、税コードごとに税に関する情報を格納する税テーブルと、入出力部から商品が選択入力された場合、当該商品の税に関する情報を入出力部に表示する制御部と、を備える計量ラベルプリンタを提供する。
【図面の簡単な説明】
【００１０】
【図１】計量ラベルプリンタの正面外観斜視図である。
【図２】計量ラベルプリンタの背面外観者視図である。
【図３】計量ラベルプリンタの構成を示すブロック図である。
【図４】記憶部が格納するデータのデータ構成を示す図である。
【図５】計量ラベルプリンタの動作を示すフローチャートである。
【図６】入出力部に表示されるオペレータ用画面の例を示す図である。
【図７】客面ディスプレイに表示される客面表示画面の例を示す図である。
【図８】客面ディスプレイに表示されるポップアップの例を示す図である。
【発明を実施するための形態】
【００１１】
以下、計量ラベルプリンタの一実施形態について、図面を用いて詳細に説明する。
【００１２】
本実施形態の計量ラベルプリンタは、情報を入出力する入出力部と、商品の重さを計量する計量部と、記録媒体に画像形成するプリンタと、商品に固有に割り当てられる商品コードごとに単価、及び商品の分類を示す分類コードを格納する商品マスタと、分類コード及び商品コードごとに税の種別を示す税コードを格納する分類ファイルと、税コードごとに税に関する情報を格納する税テーブルと、入出力部から商品が選択入力された場合、当該商品の税に関する情報を入出力部に表示する制御部と、を備える。
【００１３】
図１は、計量ラベルプリンタ１の正面外観斜視図である。図２は、計量ラベルプリンタ１の背面外観者視図である。図１及び図２に示すように、計量ラベルプリンタ１は、情報を入出力する入出力部１０３と、商品の重さを計量する計量部１０２と、記録媒体に画像形成するプリンタ１０４と、顧客に情報を提示する客面ディスプレイ１０５と、制御部３０１を格納する本体部１０１と、を備える。
【００１４】
入出力部１０３は、例えばタッチパネルを用いることができる。
【００１５】
計量部１０２は、本体部１０１の上部に設けられる計量皿と、計量皿に載せられた商品の重さを電気信号に変換する変換部と、を備える。変換部の出力は制御部３０１に出力される。
【００１６】
プリンタ１０４は、ラベルが貼付された台紙をロール状に巻いた記録媒体に画像形成し、画像形成後に台紙からラベルを剥離して排出する。
【００１７】
客面ディスプレイ１０５は、本体部１０１の背面に設けられ、情報を顧客に向けて表示する。
【００１８】
通信部３０５は、通信回線を介してストアコントローラ、パソコンなどの外部機器と通信を行う。
【００１９】
図３は、計量ラベルプリンタ１の構成を示すブロック図である。図３に示すように、計量ラベルプリンタ１は、演算装置であるＣＰＵ（ｃｅｎｔｒａｌ  ｐｒｏｃｅｓｓｉｎｇ  ｕｎｉｔ）を含む制御部３０１と、メモリ、ハードディスクドライブなどの記憶装置を含み、情報を格納する記憶部３０２と、計量部１０２と、プリンタ１０４と、通信を行う通信部３０５と、を備える。
【００２０】
記憶部３０２は、商品に固有に割り当てられる商品コードごとに単価、商品の分類を示す分類コード、及びその他の当該商品に関する情報を格納する商品マスタ３０２Ａと、分類コード及び商品コードごとに税の種別を示す税コードを格納する分類ファイル３０２Ｂと、税コードごとに税に関する情報を格納する税テーブル３０２Ｃと、を格納する。
【００２１】
ここで、分類コードは商品の税上の分類を示す。例えば、食料品、日用雑貨品、趣向品の別に税率が異なる場合、食料品、日用雑貨品、趣向品それぞれ互いに異なる分類コードが割り当てられる。
【００２２】
図４は、記憶部３０２が格納するデータのデータ構成を示す図である。図４に示すように、商品マスタ３０２Ａは、商品に固有に割り当てられる「商品コード」と、商品コードに１対１に割り当てられる「ＪＡＮコード」と、商品の名称である「商品名」と、「分類コード」と、商品の単位重量当たりの単価を示す「単価」と、商品に関する情報として例えば商品の産地を示す「産地」と、を格納する。
【００２３】
各データの例は、商品コードが「１００１２３」、ＪＡＮコードが「４５０１２３６５４」、商品名が「牛肩ロース」、分類コードが「０００００１」、単価が「２００」、産地が「山形」である。
【００２４】
分類ファイル３０２Ｂは、「分類コード」と、「商品名」と、税の種別を示す「税コード」と、を格納する。
【００２５】
各データの例は、分類コードが「０００００１」、商品名が「牛肩ロース」、税コードが「００１」である。
【００２６】
税テーブル３０２Ｃは、「税コード」と、内税又は外税の区別を示す「内外種別」と、税率を示す「税率」と、端数の処理方法を示す「丸め」と、入出力部１０３及び客面ディスプレイ１０５へのポップアップ表示の要否を示す「ポップアップ」と、を格納する。
【００２７】
各データの例は、「税コード」が「００１」、内外種別が「外税」、税率が「８％」、丸めが「切り上げ」、ポップアップが「要」である。
【００２８】
計量ラベルプリンタ１はこれらのデータを、通信部３０５を介して接続した外部機器から更新されることが可能である。
【００２９】
例えば、計量ラベルプリンタ１は通信部を介して接続されるストアコントローラから、商品ごとに分類コードを更新したり、分類コードごとに税コードを更新したり、税コードごとに税率などの税情報を更新したりすることが可能である。
【００３０】
図５は、計量ラベルプリンタ１の動作を示すフローチャートである。図５に示すように、計量ラベルプリンタ１は制御部３０１によって以下のように動作する。
【００３１】
ステップ５０１において、計量ラベルプリンタ１は入出力部１０３から商品の選択入力があったかを判定する。計量ラベルプリンタ１は入出力部１０３から商品の選択入力があったと判定した場合、ステップ５０２に進み、商品の選択入力があったと判定しない場合、ステップ５０１に戻る。
【００３２】
ステップ５０２において、計量ラベルプリンタ１は入力された商品を記憶部３０２に格納することにより登録する。
【００３３】
ステップ５０３において、計量ラベルプリンタ１は記憶部３０２から税情報を読み出す。具体的には、計量ラベルプリンタ１は、入力された商品コードに基づいて商品マスタ３０２Ａを検索し、該当するレコードをメモリに読み出す。
【００３４】
計量ラベルプリンタ１は、読み出したレコードの分類コードに基づいて分類ファイル３０２Ｂを検索し、該当するレコードをメモリに読み出す。
【００３５】
計量ラベルプリンタ１は、読み出したレコードの税コードに基づいて税テーブル３０２Ｃを検索し、該当するレコードに格納された税情報をメモリに読み出す。
【００３６】
ステップ５０４において、計量ラベルプリンタ１は、読み出した税情報の「ポップアップ」を参照してポップアップの要否を判定する。
【００３７】
計量ラベルプリンタ１は、ポップアップが「要」であると判定した場合、ステップ５０４に進み、「要」でないと判定した場合、ステップ５０５に進む。
【００３８】
ステップ５０４において、計量ラベルプリンタ１は、税に関する情報である税情報を入出力部１０３及び客面ディスプレイ１０５にポップアップ表示する。
【００３９】
ステップ５０５において、計量ラベルプリンタ１は、入出力部１０３及び客面ディスプレイ１０５に税情報を表示する。
【００４０】
ステップ５０６において、計量ラベルプリンタ１は計量した重さである計量重量と、計量重量、単価、及び税情報い基づいて算出した価格を入出力部１０３及び客面ディスプレイ１０５に税情報を表示する。
【００４１】
ステップ５０７において、計量ラベルプリンタ１は、入出力部１０３から登録完了指示が入力されたかを判定する。
【００４２】
計量ラベルプリンタ１は、入出力部１０３から登録完了指示が入力されたと判定した場合、ステップ５０８に進み、登録完了指示が入力されたと判定しない場合、ステップ５０６に戻る。
【００４３】
ステップ５０８において、計量ラベルプリンタ１はプリンタ１０４によって記録媒体に計量重量、価格、税額、税の種別等を画像形成し、画像形成されたラベルを排出する。
【００４４】
図６は、入出力部１０３に表示されるオペレータ用画面６０１の例を示す図である。図６に示すように、オペレータ用画面６０１は、選択入力された商品の単価を表示する単価表示部６０２と、計量重量及び本体価格を表示する価格表示部６０３と、登録完了を指示する登録完了ボタン６０４と、税情報を呼び出すための税情報呼出ボタン６１１と、を備える。
【００４５】
メモリに読み出された当該商品に係る税テーブルのポップアップが「要」の場合、計量ラベルプリンタ１は入出力部１０３に表示されたオペレータ用画面６０１に税情報を表示するポップアップ６１２をポップアップ表示する。
【００４６】
ポップアップ６１２は、例えば、内外種別、税率、税込金額、本体価格、及び税額を表示することができるが、表示する項目はこれらに限られるものではない。例えば、分類コードに固有に割り当てられる分類コード名をさらに表示させてもよい。
【００４７】
メモリに読み出された当該商品に係る税テーブルのポップアップが「否」の場合、計量ラベルプリンタ１はポップアップ６１２を表示させないが、この場合でも税情報呼出ボタン６１１が押下された場合、計量ラベルプリンタ１はポップアップ６１２を入出力部１０３にポップアップ表示する。
【００４８】
計量ラベルプリンタ１は、入出力部１０３のいずれかの部分にタッチされたと判定した場合、ポップアップ６１２を消去する。
【００４９】
図７は、客面ディスプレイ１０５に表示される客面表示画面７０１の例を示す図である。図７に示すように、客面表示画面７０１は、例えば商品名、単価、計量重量、及び本体価格を表示する。
【００５０】
図８は、客面ディスプレイ１０５に表示されるポップアップ６１２の例を示す図である。図８に示すように、計量ラベルプリンタ１は、入出力部１０３にポップアップ６１２が表示される場合、客面ディスプレイ１０５にもポップアップ６１２を表示し、入出力部１０３からポップアップ６１２が消去される場合、客面ディスプレイ１０５からもポップアップ６１２を消去する。
【００５１】
以上のべたように、本実施形態の計量ラベルプリンタ１は、情報を入出力する入出力部１０３と、商品の重さを計量する計量部１０２と、記録媒体に画像形成するプリンタ１０４と、商品に固有に割り当てられる商品コードごとに単価、商品の分類を示す分類コード、及び当該商品に関する情報を格納する商品マスタ３０２Ａと、分類コード及び商品コードごとに税の種別を示す税コードを格納する分類ファイル３０２Ｂと、税コードごとに税に関する情報を格納する税テーブル３０２Ｃと、入出力部１０３から商品が選択入力された場合、当該商品の税に関する情報を入出力部１０３に表示する制御部３０１と、を備える。
【００５２】
従って、消費者が商品を購入前に当該商品の税に関する情報を容易に得ることができるという効果がある。
【００５３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１：計量ラベルプリンタ１
１０２：計量部
１０３：入出力部
１０４：プリンタ
１０５：客面ディスプレイ
【図１】
2015160365.tif 000003
【図２】
2015160365.tif 000004
【図３】
2015160365.tif 000005
【図４】
2015160365.tif 000006
【図５】
2015160365.tif 000007
【図６】
2015160365.tif 000008
【図７】
2015160365.tif 000009
【図８】
2015160365.tif 000010